【事件の表示】
　特許第３３３５１５１号「マイクロエマルション」の請求項１ないし３に係る特許に対する特許異議の申立てについて、次のとおり決定する。
【結　論】
　訂正を認める。
　特許第３３３５１５１号の請求項１、２に係る特許を維持する。
【理　由】
１．手続の経緯
　特許第３３３５１５１号の請求項１乃至３に係る発明は、平成１１年１２月２日に特許出願され、平成１４年８月２日に特許権の設定登録がなされ、その後、請求項１乃至３に係る特許について特許異議申立人　菅原洋子より特許異議の申立てがなされ、取消理由が通知され、その指定期間内である平成１５年９月１日に訂正請求がなされたものである。
　
２．訂正の適否についての判断
２−１．訂正の内容
　上記訂正請求は、願書に添付された明細書（以下、「特許明細書」という。）を訂正請求書に添付された明細書（以下、「訂正明細書」という。）のとおりに訂正することを求めるもので、その内容は以下のとおりである。
訂正事項ａ
　特許明細書の請求項１を、「【請求項１】（Ａ）カチオン性界面活性剤を除くイオン性界面活性剤、（Ｂ）脂肪族アルコール及び脂肪酸から選ばれる２５℃で固体又はペースト状の化合物、（Ｃ）シリコーン油を含有する液体油性物質、並びに水を含有し、（Ａ）：（Ｂ）：（Ｃ）の重量比が１：（０．１〜１０）：（０．０５〜２０）の範囲であるマイクロエマルション。」と訂正する。
訂正事項ｂ
　特許明細書の請求項２を削除する。
訂正事項ｃ
　特許明細書の請求項３を請求項２に繰り上げて、「【請求項２】（Ａ）カチオン性界面活性剤を除くイオン性界面活性剤、（Ｂ）脂肪族アルコール及び脂肪酸から選ばれる２５℃で固体又はペースト状の化合物、（Ｃ）シリコーン油を含有する液体油性物質、並びに水を含有し、（Ａ）：（Ｂ）：（Ｃ）の重量比が１：（０．１〜１０）：（０．０５〜２０）の範囲である混合物に、１×１０4 〜１×１０8ｓ-1の剪断速度を与えて乳化するマイクロエマルションの製造方法。」と訂正する。
訂正事項ｄ
　特許明細書の【０００３】段落を、「【課題を解決するための手段】本発明者らは、特定の組成からなる油性成分と水とを、強力な剪断力を有する乳化機を用いて乳化することによって、広い温度範囲にわたって透明であり、かつ多量の油性物質を含有することが可能なマイクロエマルションが得られることを見出し、本発明に至った。即ち、本発明は、（Ａ）カチオン性界面活性剤を除くイオン性界面活性剤、（Ｂ）脂肪族アルコール及び脂肪酸から選ばれる２５℃で固体又はペースト状の化合物、（Ｃ）シリコーン油を含有する液体油性物質、並びに水を含有し、（Ａ）：（Ｂ）：（Ｃ）の重量比が１：（０．１〜１０）：（０．０５〜２０）の範囲であるマイクロエマルションを提供する。」と訂正する。
訂正事項ｅ
　特許明細書の【００３１】段落の「実施例３〜６」を、「実施例３、参考例１〜３」と訂正する。
訂正事項ｆ
　特許明細書の【００３４】段落の「実施例４」を、「参考例１」と訂正する。
訂正事項ｇ
　特許明細書の【００３５】段落の「実施例５」を、「参考例２」と訂正する。
訂正事項ｈ
　特許明細書の【００３６】段落の「実施例６」を、「参考例３」と訂正する。
訂正事項ｉ
　特許明細書の【００３８】段落の「実施例７」を、「実施例４」と訂正する。
２−２．訂正の目的の適否、新規事項の有無、及び拡張・変更の存否
　訂正事項ａは、特許明細書の請求項１における「液体油性物質」を「シリコーン油を含有する液体油性物質」と限定したものであるから、特許請求の範囲の減縮を目的とするものである。そして、特許明細書の請求項２及び【００１９】段落には、「液体油性物質」がシリコーン油を含有するものであることが記載されているから、訂正事項ａは、特許明細書に記載された事項の範囲内で明細書の記載を訂正するものであり、新規事項の追加に該当しない。また、訂正事項ａは、発明の課題に変更を及ぼすものではないので、実質上特許請求の範囲を拡張し又は変更するものでもない。
　訂正事項ｂは、請求項の削除であるから、特許請求の範囲の減縮を目的とするものである。また、訂正事項ｂは、新規事項の追加に該当せず、実質上特許請求の範囲を拡張し又は変更するものでもない。
　訂正事項ｃは、特許明細書の請求項２の削除に伴い請求項の項番を繰り上げるとともに、特許明細書の請求項３における「液体油性物質」を「シリコーン油を含有する液体油性物質」と限定したものであるから、特許請求の範囲の減縮を目的とするものである。そして、訂正事項ａについて述べた理由と同じ理由で、訂正事項ｃは、特許明細書に記載された事項の範囲内で明細書の記載を訂正するものであり、新規事項の追加に該当せず、また、実質上特許請求の範囲を拡張し又は変更するものでもない。
　訂正事項ｄ乃至ｉは、訂正事項ａ乃至ｃの特許請求の範囲の訂正に整合させて発明の詳細な説明の記載を訂正するものであるから、明りょうでない記載の釈明に該当する。また、この訂正事項ｄ乃至ｉは、特許明細書の記載に基づくものであって新規事項の追加に該当せず、しかも実質上特許請求の範囲を拡張し又は変更するものでもない。
２−３．むすび
　以上のとおりであるから、上記訂正は、特許法第１２０条の４第２項及び同条第３項において準用する特許法第１２６条第２項及び第３項の規定に適合するので、当該訂正を認める。　
　
３．特許異議申立てについて
３−１．本件発明
　特許第３３３５１５１号の請求項１及び２に係る発明（以下、「本件発明１」及び「本件発明２」という。）は、訂正明細書の特許請求の範囲の請求項１及び２に記載された次の事項により特定されるとおりのものである。
「【請求項１】（Ａ）カチオン性界面活性剤を除くイオン性界面活性剤、（Ｂ）脂肪族アルコール及び脂肪酸から選ばれる２５℃で固体又はペースト状の化合物、（Ｃ）シリコーン油を含有する液体油性物質、並びに水を含有し、（Ａ）：（Ｂ）：（Ｃ）の重量比が１：（０．１〜１０）：（０．０５〜２０）の範囲であるマイクロエマルション。
【請求項２】（Ａ）カチオン性界面活性剤を除くイオン性界面活性剤、（Ｂ）脂肪族アルコール及び脂肪酸から選ばれる２５℃で固体又はペースト状の化合物、（Ｃ）シリコーン油を含有する液体油性物質、並びに水を含有し、（Ａ）：（Ｂ）：（Ｃ）の重量比が１：（０．１〜１０）：（０．０５〜２０）の範囲である混合物に、１×１０4 〜１×１０8ｓ-1の剪断速度を与えて乳化するマイクロエマルションの製造方法。」
３−２．特許異議申立ての理由の概要　
　特許異議申立人　菅原洋子は、証拠方法として下記の甲第１号証乃至甲第４号証を提出し、特許明細書の請求項１及び２に係る発明は、甲第１号証又は甲第２号証に記載された発明であり、特許明細書の請求項１乃至３に係る発明は、甲第１号証乃至甲第４号証に記載された発明に基いて当業者が容易に発明をすることができたものであり、これらの発明は特許法第２９条第１項第３号又は同条第２項の規定により特許を受けることができないものであるから、特許明細書の請求項１乃至３に係る特許は、取り消されるべきものである旨主張している。
　甲第１号証：特開平６−２７１４２１号公報
　甲第２号証：特開平８−９２０５９号公報
　甲第３号証：特開平９−１６５３１７号公報
　甲第４号証：特開昭６３−１２６５４２号公報
３−３．甲各号証に記載された事項　
（１）当審が通知した取消理由において刊行物１として引用した甲第１号証には、下記の記載がある。
１−ア．「両親媒性物質−界面活性剤−水系において常温以上でゲルを形成し得るものの中から選択された両親媒性物質及び界面活性剤と、油と、水と、を含み、前記両親媒性物質及び界面活性剤は、その実質的全量が油滴界面に存在していることを特徴とする水中油型乳化組成物。」（特許請求の範囲　請求項１）
１−イ．「請求項１〜３記載の組成物において、乳化粒子径が０．１５μｍ以下であることを特徴とする水中油型乳化組成物。」（特許請求の範囲　請求項４）
１−ウ．「請求項１〜６記載の組成物において、両親媒性物質は炭素鎖長が１６以上である高級アルコール及び／又は高級脂肪酸よりなることを特徴とする水中油型乳化組成物。」（特許請求の範囲　請求項７）
１−エ．「請求項１〜７記載の組成物において、界面活性剤がカチオン界面活性剤又はアニオン界面活性剤よりなることを特徴とする水中油型乳化組成物。」（特許請求の範囲　請求項８）
１−オ．「本発明において、系中に配合する油状成分は液状油分、固型油分、半固型油分又は水に難溶性の物質のいずれでもよく、例えばアボガド油、ツバキ油、・・・、ジメチルポリシロキサン、メチルフェニルポリシロキサン等のシリコーン油、・・・等が挙げられ、このうち融点が常温以下を液状油分、融点が常温以上を固型、半固型油分と区別される。」（第４頁第５欄５行〜同頁第６欄２８行）
１−カ．「本発明の乳化組成物は、以上の必須成分を有する混合分散液をホモミキサーよりも強力な剪断力をかけられる乳化機、例えばマントンゴウリン、フレンチプレス、コロイドミル、マイクロフルイダイザー、超音波乳化機など、強力な剪断力で処理することにより、その透明性、安全性、安定性を向上させることができる。また、マントンゴウリン、フレンチプレス、マイクロフルイダイザー等の高圧ホモジナイザーを用いる場合には、１０００psi以上の圧力下で乳化するのが好ましいが、さらに好ましくは３０００psi以上が好適である。」（第４頁第６欄３５〜４５行）
（２）当審が通知した取消理由において刊行物２として引用した甲第２号証には、下記の記載がある。
２−ア．「両親媒性物質−界面活性剤−水系において常温以上でゲルを形成し得るものの中から選択された両親媒性物質及び界面活性剤と、油と、水と、を含み、前記両親媒性物質、界面活性剤、油で形成される微細エマルション０．０１〜５重量％が水中に分散されてなり、前記水中には多価アルコールが１〜４０重量％含有されていることを特徴とする透明化粧水。」（特許請求の範囲　請求項１）
２−イ．「請求項１〜５のいずれかに記載の化粧水において、微細エマルション粒子径が０．１５μｍ以下であることを特徴とする透明化粧水。」（特許請求の範囲　請求項６）
２−ウ．「請求項１〜７のいずれかに記載の化粧水において、両親媒性物質は炭素鎖長が１６以上である高級アルコール及び／又は高級脂肪酸よりなることを特徴とする透明化粧水。」（特許請求の範囲　請求項８）
２−エ．「請求項１〜８のいずれかに記載の化粧水において、界面活性剤がカチオン界面活性剤又はアニオン界面活性剤よりなることを特徴とする透明化粧水。」（特許請求の範囲　請求項９）
２−オ．「本発明において、系中に配合する油状成分は液状油分、固型油分、半固型油分又は水に難溶性の物質のいずれでもよく、例えばアボガド油、ツバキ油、・・・、ジメチルポリシロキサン、メチルフェニルポリシロキサン等のシリコーン油、・・・等が挙げられ、このうち融点が常温以下を液状油分、融点が常温以上を固型、半固型油分と区別される。」（第３頁第３欄１８行〜同頁第４欄４１行）
２−カ．「本発明の透明化粧水は、前記必須成分を有する混合分散液をホモミキサーよりも強力な剪断力をかけられる乳化機、例えばマントンゴウリン、フレンチプレス、コロイドミル、マイクロフルイダイザー、超音波乳化機など、強力な剪断力で処理することにより、その透明性、安定性を向上させることができる。また、マントンゴウリン、フレンチプレス、マイクロフルイダイザー等の高圧ホモジナイザーを用いる場合には、１０００psi以上の圧力下で乳化するのが好ましいが、さらに好ましくは３０００psi以上が好適である。」（第４頁第５欄１１〜２０行）
（３）当審が通知した取消理由において刊行物３として引用した甲第３号証には、下記の記載がある。
３−ア．「両親媒性物質−カチオン界面活性剤−水系において常温以上でゲルを形成し得るものの中から選択された両親媒性物質及びカチオン界面活性剤と、シリコーン油と、水と、を含み、前記両親媒性物質及びカチオン界面活性剤は、その実質的全量が油滴界面に存在し、系の粘度が３０ｃｐｓ以下であることを特徴とする水中油型乳化組成物。」（特許請求の範囲　請求項１）
３−イ．「請求項１〜８の何れかに記載の組成物において、乳化粒子径が０．２５μｍ以下であることを特徴とする水中油型乳化組成物。」（特許請求の範囲　請求項９）
３−ウ．「請求項１〜９記載の組成物において、両親媒性物質は炭素鎖長が１６以上である高級アルコール及び／又は高級脂肪酸よりなることを特徴とする水中油型乳化組成物」（特許請求の範囲　請求項１０）
（４）当審が通知した取消理由において刊行物４として引用した甲第４号証には、下記の記載がある。
４−ア．「親水性のイオン性界面活性剤と、有機概念図上の無機性が０でかつ炭素数が１５以上の油、・・・の油の１種または２種以上と、水とを含有し、上記油の含有率が０．００５〜６０重量％で、親水性のイオン性界面活性剤と全油性成分の量比が１：０．５〜１：１０であり、平均粒子径が０．０１〜０．１μmであることを特徴とするマイクロエマルション。」（特許請求の範囲）
４−イ．「本発明において用いられるイオン性界面活性剤としては、水中油型のマイクロエマルションを得る必要から、ＨＬＢは親水性でなければならないが、それ以外は通常のイオン性界面活性剤を用いることができる。具体的に例を挙げると、陰イオン界面活性剤としては、例えば、ラウリン酸ナトリウム、・・・等が挙げられる。陽イオン界面活性剤としては、例えば、塩化ステアリルトリメチルアンモニウム、・・・等が挙げられる。両性界面活性剤としては、例えば、２−ウンデシル−Ｎ，Ｎ，Ｎ−（ヒドロキシエチルカルボキシメチル）−２−イミダゾリンナトリウム、・・・等が挙げられる。これらイオン性界面活性剤の１種または２種以上の組合せにおいて用いられる。」（第２頁右下欄１８行〜第３頁左下欄４行）
　
３−４．対比、判断
（１）本件発明１について
　まず、本件発明１が甲第１号証に記載された発明であるか検討する。
　記載事項１−アからみて、甲第１号証に記載された水中油型乳化組成物は、界面活性剤、両親媒性物質、油、及び水を含有するものであると云え、さらに、上記界面活性剤について記載された記載事項１−エ、上記両親媒性物質について記載された記載事項１−ウ、上記油について記載された記載事項１−オを参酌すると、甲第１号証には下記の発明（以下、「甲１発明」という。）が記載されていると云える。
「カチオン界面活性剤又はアニオン界面活性剤よりなる界面活性剤、炭素鎖長が１６以上である高級アルコール及び／又は高級脂肪酸よりなる両親媒性物質、液状油分、及び水を含有する水中油型乳化組成物。」
　本件発明１と甲１発明とを対比すると、後者における「両親媒性物質」は、それを構成する化合物からみて、前者における「脂肪族アルコール及び脂肪酸から選ばれる２５℃で固体又はペースト状の化合物」に相当すると云え、後者における「液状油分」は、前者における「液体油性物質」に相当すると云える。また、後者における「カチオン界面活性剤」及び「アニオン界面活性剤」は、いずれもイオン性界面活性剤と云えるものであり、後者の水中油型乳化組成物は、記載事項１−イに記載された乳化粒子径からみてマイクロエマルションと云えるものである。よって、両者は、
「（Ａ）イオン性界面活性剤、（Ｂ）脂肪族アルコール及び脂肪酸から選ばれる２５℃で固体又はペースト状の化合物、（Ｃ）液体油性物質、並びに水を含有するマイクロエマルション。」で一致し、下記の点で相違する。
（ｉ）（Ｃ）成分の液体油性物質が、前者は、シリコーン油を含有するものであるのに対し、後者はかかる特定がない点。
（ii）（Ａ）成分のイオン性界面活性剤が、前者は、カチオン性界面活性剤を除くものであるのに対して、後者は、カチオン界面活性剤又はアニオン界面活性剤よりなるものである点。
（iii）前者は、（Ａ）：（Ｂ）：（Ｃ）の重量比が１：（０．１〜１０）：（０．０５〜２０）の範囲であるのに対して、後者はかかる特定がない点。
　そこで、相違点（ｉ）、（ii）、（iii）についてまとめて検討する。
　甲第１号証の記載事項１−オには、甲１発明における液体油性物質として用いられる多くの化合物が記載されており、その中にジメチルポリシロキサン、メチルフェニルポリシロキサン等のシリコーン油も記載されている。即ち、甲１発明は、液体油性物質がシリコーン油である場合を含むものであると云える。また、甲１発明は、イオン性界面活性剤がアニオン界面活性剤、即ちカチオン性界面活性剤を除くものである場合を含むものであることは明らかである。しかし、甲第１号証の記載を如何に検討しても、液体油性物質としてシリコーン油を含有するものを用い、かつ、イオン性界面活性剤としてカチオン性界面活性剤を除くものを用いることは記載も示唆もされていない。因みに、甲１発明の具体例である実施例の記載を検討しても、液体油性物質としてシリコーン油を用いる実施例４はイオン性界面活性剤としてカチオン性界面活性剤を用いるものであり、イオン性界面活性剤としてアニオン性界面活性剤を用いる実施例は、液体油性物質としてシリコーン油を用いていない。
　そして、本件発明１は、液体油性物質としてシリコーン油を含有するものを用い、かつ、イオン性界面活性剤としてカチオン性界面活性剤を除くものを用い、さらに、（Ａ）：（Ｂ）：（Ｃ）の重量比を１：（０．１〜１０）：（０．０５〜２０）の範囲としたことにより、透明性が良好であり安定性が優れているという明細書に記載された顕著な効果を奏するものである。
　してみれば、本件発明１は、甲第１号証に記載された発明であるとは云えない。
　次に、本件発明１が甲第２号証に記載された発明であるか検討する。
　記載事項２−アからみて、甲第２号証に記載された透明化粧水は、界面活性剤、両親媒性物質、油、及び水を含有するものであると云え、さらに、上記界面活性剤について記載された記載事項２−エ、上記両親媒性物質について記載された記載事項２−ウ、上記油について記載された記載事項２−オを参酌すると、甲第２号証には下記の発明（以下、「甲２発明」という。）が記載されていると云える。
「カチオン界面活性剤又はアニオン界面活性剤よりなる界面活性剤、炭素鎖長が１６以上である高級アルコール及び／又は高級脂肪酸よりなる両親媒性物質、液状油分、及び水を含有する透明化粧水。」
　本件発明１と甲２発明とを対比すると、後者における「両親媒性物質」は、それを構成する化合物からみて、前者における「脂肪族アルコール及び脂肪酸から選ばれる２５℃で固体又はペースト状の化合物」に相当すると云え、後者における「液状油分」は、前者における「液体油性物質」に相当すると云える。また、後者における「カチオン界面活性剤」及び「アニオン界面活性剤」は、いずれもイオン性界面活性剤と云えるものであり、後者の透明化粧水は、記載事項２−イに記載された微細エマルション粒子径からみてマイクロエマルションと云えるものである。よって、両者は、
「（Ａ）イオン性界面活性剤、（Ｂ）脂肪族アルコール及び脂肪酸から選ばれる２５℃で固体又はペースト状の化合物、（Ｃ）液体油性物質、並びに水を含有するマイクロエマルション。」で一致し、下記の点で相違する。
（iv）（Ｃ）成分の液体油性物質が、前者は、シリコーン油を含有するものであるのに対し、後者はかかる特定がない点。
（ｖ）（Ａ）成分のイオン性界面活性剤が、前者は、カチオン性界面活性剤を除くものであるのに対して、後者は、カチオン界面活性剤又はアニオン界面活性剤よりなるものである点。
（vi）前者は、（Ａ）：（Ｂ）：（Ｃ）の重量比が１：（０．１〜１０）：（０．０５〜２０）の範囲であるのに対して、後者はかかる特定がない点。
　そこで、相違点（iv）、（v）、（vi）についてまとめて検討する。
　甲第２号証の記載事項２−オには、甲２発明における液体油性物質として用いられる多くの化合物が記載されており、その中にジメチルポリシロキサン、メチルフェニルポリシロキサン等のシリコーン油も記載されている。即ち、甲２発明は、液体油性物質がシリコーン油である場合も含むものであると云える。また、甲２発明は、イオン性界面活性剤がアニオン界面活性剤、即ちカチオン性界面活性剤を除くものである場合も含むものであることは明らかである。しかし、甲第２号証の記載を如何に検討しても、液体油性物質としてシリコーン油を含有するものを用い、かつ、イオン性界面活性剤としてカチオン性界面活性剤を除くものを用いることは記載も示唆もされていない。因みに、甲２発明の具体例として甲第２号証に記載された実施例を検討しても、液体油性物質としてシリコーン油を用いた実施例は無い。
　そして、本件発明１は、液体油性物質としてシリコーン油を含有するものを用い、かつ、イオン性界面活性剤としてカチオン性界面活性剤を除くものを用い、さらに、（Ａ）：（Ｂ）：（Ｃ）の重量比を１：（０．１〜１０）：（０．０５〜２０）の範囲としたことにより、透明性が良好であり安定性が優れているという明細書に記載された顕著な効果を奏するものである。
　してみれば、本件発明１は、甲第２号証に記載された発明であるとは云えない。
　さらに、本件発明１が、甲第１号証乃至甲第４号証に記載された発明に基いて容易に発明をすることができたものであるか検討する。
　本件発明１と甲１発明との相違点（ｉ）、（ii）、（iii）と、本件発明１と甲２発明との相違点（iv）、（v）、（vi）とは、それぞれ同じものである。
　そこで、これらの相違点についてさらに検討すると、前述のとおり、甲第１号証、甲第２号証のいずれにも、液体油性物質としてシリコーン油を含有するものを用い、かつ、イオン性界面活性剤としてカチオン性界面活性剤を除くものを用いることを示唆する記載はない。
　さらに、甲第３号証には、記載事項３−ア及びウからみて、「カチオン界面活性剤、炭素鎖長が１６以上である高級アルコール及び／又は高級脂肪酸よりなる両親媒性物質、シリコーン油、及び水を含有する水中油型乳化組成物。」が記載されており、この「水中油型乳化組成物」は、記載事項３−イに記載された乳化粒子径からみてマイクロエマルションと云えるものである。しかし、この甲第３号証にも、マイクロエマルションの成分としてシリコーン油を用いることは記載されているものの、界面活性剤としてはカチオン界面活性剤を用いることしか記載が無く、結局、マイクロエマルションの成分としてシリコーン油とともにカチオン性界面活性剤を除くイオン性界面活性剤を用いることは記載されていない。
　また、甲第４号証には、親水性のイオン性界面活性剤と特定の油と水を含むマイクロエマルションが、さらに、このマイクロエマルションを構成する親水性のイオン性界面活性剤として、陽イオン界面活性剤とともに陰イオン界面活性剤と両性界面活性剤が記載されているだけで、マイクロエマルションの成分としてシリコーン油とともにカチオン性界面活性剤を除くイオン性界面活性剤を用いることは記載されていない。
　よって、甲第１号証乃至甲第４号証を検討しても、甲１発明又は甲２発明において、特に、液体油性物質としてシリコーン油を含有するものを用い、かつ、イオン性界面活性剤としてカチオン性界面活性剤を除くものを用いることを、当業者が容易に導き出すことができたとは云えない。
　そして、前述のとおり、本件発明１は、液体油性物質としてシリコーン油を含有するものを用い、かつ、イオン性界面活性剤としてカチオン性界面活性剤を除くものを用い、さらに、（Ａ）：（Ｂ）：（Ｃ）の重量比を１：（０．１〜１０）：（０．０５〜２０）の範囲としたことにより、明細書に記載された顕著な効果を奏するものである。
　してみると、本件発明１は、甲第１号証乃至甲第４号証に記載された発明に基いて当業者が容易に発明をすることができたものであるとも云えない。
（２）本件発明２について
　本件発明２は、本件発明１における（Ａ）成分、（Ｂ）成分、（Ｃ）成分、並びに水を含有し、（Ａ）：（Ｂ）：（Ｃ）の重量比が本件発明１と同じである混合物に所定の剪断速度を与えて乳化するマイクロエマルションの製造方法である。
　よって、本件発明２は、乳化時の剪断速度について検討するまでもなく、少なくとも本件発明１について述べた理由と同じ理由により、甲第１号証乃至甲第４号証に記載された発明に基いて当業者が容易に発明をすることができたものであるとは云えない。
　
３−５．むすび
　以上のとおりであるから、特許異議申立ての理由及び証拠方法によっては本件発明１及び２についての特許を取り消すことはできない。
　また、他に本件発明１及び２についての特許を取り消すべき理由を発見しない。
　よって、結論のとおり決定する。
【異議決定日】
平成１７年１月４日（２００５．１．４）
【訂正の要旨】
審決（決定）の【理由】欄参照。
（５４）【発明の名称】
マイクロエマルション
（５７）【特許請求の範囲】
　【請求項１】　（Ａ）カチオン性界面活性剤を除くイオン性界面活性剤、（Ｂ）脂肪族アルコール及び脂肪酸から選ばれる２５℃で固体又はペースト状の化合物、（Ｃ）
シリコーン油を含有する
　【請求項
２
シリコーン油を含有する
【発明の詳細な説明】
　【０００１】
　【発明の属する技術分野】
　本発明は、外観上透明性を呈するマイクロエマルションに関し、詳しくは、特定の比率からなるイオン性界面活性剤と高級アルコール、高級脂肪酸等常温（２５℃）で固体又はペースト状の化合物、液体油性物質及び水を含有する、透明性及びその安定性に優れたマイクロエマルションに関する。
　【０００２】
　【従来の技術及び発明が解決しようとする課題】
　化粧料や医薬品の用途においては、油分を水性媒体中に可溶化ないし微細乳化させたマイクロエマルション形態の製剤が、滑らかな使用性、さっぱりした使用感、優れた透明性等の特徴を求めて種々提案されている。しかしながら、従来の乳化手法では、液体油性物質、特にシリコーン油を多量に含む乳化系で、透明性の高いものを得るのは困難であった。一方、水と油とからなる流体混合物に強い剪断力を加えて、マイクロエマルションを得る方法がある（特開昭６３−１２６５４２号公報、特開平１−２９３１３１号公報等）。これらは、高圧ホモジナイザー等の装置を用い、試料を高圧で狭い隙間から押し出して、常圧に移行する際のキャビテーションと乱流によって分散粒子を微細化する方法である。応用例として、油溶性薬物を注射液等として用いるための脂肪乳剤の調製がある（日本臨床、５６巻、３号、１１１−１１７（１９９８））が、この場合、調製物について外観の透明性は求められず、しかも用いる乳化剤はレシチン又はその水添物に限られている。また、得られた脂肪乳剤には冷所保存や使用期限の設定をしているため、保存安定性も限られた条件を満たしていれば十分である。更に、透明性のよい水性化粧料には様々な環境下での安定性が求められるが、機械エネルギーの付与によって得られるマイクロエマルションは、凝集等により経時的に系が不安定となる問題があった。
　【０００３】
　【課題を解決するための手段】
　本発明者らは、特定の組成からなる油性成分と水とを、強力な剪断力を有する乳化機を用いて乳化することによって、広い温度範囲にわたって透明であり、かつ多量の油性物質を含有することが可能なマイクロエマルションが得られることを見出し、本発明に至った。
　即ち、本発明は、（Ａ）カチオン性界面活性剤を除くイオン性界面活性剤、（Ｂ）脂肪族アルコール及び脂肪酸から選ばれる２５℃で固体又はペースト状の化合物、（Ｃ）
シリコーン油を含有する
　【０００４】
　【発明の実施の形態】
　本発明において、エマルションの透明性は紫外可視吸光光度計により評価することができ、波長５５０ｎｍの光の透過率が７０％以上であることを目安として透明であるという。マイクロエマルションの透明性は、乳化粒子が微細であることにより発現しており、一般に平均粒径は０．０１〜０．５μｍである。
　【０００５】
　本発明で用いる成分（Ａ）のイオン性界面活性剤は、炭素数１２〜２４の疎水基を有するアニオン性及び両性界面活性剤から選ばれる。非イオン性界面活性剤だけでは本発明の意図する効果は充分ではないが、発明の効果を阻害しない範囲で上記イオン性界面活性剤と併用することができる。
　【０００６】
　アニオン性界面活性剤としては、脂肪酸石鹸、アルキル硫酸エステル塩、アルキルエーテル硫酸エステル塩、Ｎ−アシルサルコシネート、脂肪酸アミドスルホン酸塩、Ｎ−アシルグルタミン酸塩、アルキルリン酸エステル塩、ジアルキルスルホコハク酸塩、アルキルベンゼンスルホン酸塩等が挙げられる。両性界面活性剤としては、イミダゾリン系界面活性剤、ベタイン型界面活性剤、アミノ酸型両性界面活性剤、スルホベタイン型界面活性剤、ホスホベタイン型界面活性剤等が挙げられる。
　【０００７】
　本発明で用いる成分（Ｂ）は、２５℃で固体又はペースト状の脂肪族化合物であり、脂肪族アルコール及び脂肪酸から選ばれる。そのうち、脂肪族アルコールとしては、ラウリルアルコール、ミリスチルアルコール、セタノール、ステアリルアルコール、ベヘニルアルコール等、炭素数１２〜２４の飽和脂肪族アルコールが好ましい。また、脂肪酸としては、ラウリン酸、ミリスチン酸、パルミチン酸、ステアリン酸、ベヘン酸等、炭素数１２〜２４の飽和脂肪酸が好ましい。
　【０００８】
　【０００９】
　【００１０】
　【００１１】
　【００１２】
　【００１３】
　【００１４】
　【００１５】
　【００１６】
　【００１７】
　【００１８】
　本発明における成分（Ｃ）の液体油性物質としては、２５℃で液体であり、前記成分（Ｂ）以外のもので、通常化粧料に配合されるものを好適に用いることができる。例えば、炭化水素油、エーテル類、脂肪酸エステル類、脂肪酸アミド類、脂肪族アミン類、動植物油、各種脂質類及び各種シリコーン油が挙げられる。
　【００１９】
　本発明によれば、特に液体油性物質としてシリコーン油を含有する場合でも透明性の良好なマイクロエマルションが得られる。シリコーン油が液体油性物質の５０％以上、更には液体油性物質が実質的にシリコーン油のみからなる場合でも有効である。具体的なシリコーン油としては、ジメチルポリシロキサン、メチルフェニルポリシロキサン、環状シリコーン、アミノ変性シリコーン、ポリエーテル変性シリコーン、エポキシ変性シリコーン、カルボキシ変性シリコーン、アルキル変性シリコーン、フッ素変性シリコーン等が挙げられる。
　【００２０】
　本発明においては、上記成分（Ａ）、成分（Ｂ）及び成分（Ｃ）からなる油性成分を、（Ａ）：（Ｂ）：（Ｃ）の重量比が１：（０．１〜１０）：（０．０５〜２０）の範囲で含有するマイクロエマルションが提供される。これら油性成分の量は、組成物全体に対して１〜５０重量％、特に１〜３０重量％の範囲で設計することができ、残余は水及び水溶性成分からなる水性媒体である。かかる範囲内において調製されたマイクロエマルションは、透明性及び安定性に優れたものである。ここで水溶性成分として、多価アルコール、低級アルコール、水溶性塩類等が挙げられる。これらはマイクロエマルションの安定性を損ねない範囲で配合される。
　【００２１】
　本発明のマイクロエマルションは、上記比率の油性成分と水性媒体との混合物を、剪断速度１×１０４〜１×１０８ｓ−１を与える強力な剪断力で乳化することにより得られる。かかる高剪断力は、既存の高圧乳化機例えば、フィルミックス（特殊機化社製）、クレアミックス（エムテクニック社製）、マイクロフルイダイザー（みずほ工業社製）、ＤｅＢｅｅ２０００（ＢＥＥインターナショナル社製）等により得ることができる。
　【００２２】
　例えば、噴射圧力を３００〜３０００ｋｇ／ｃｍ２、温度５〜５０℃の範囲に設定することによって、マイクロエマルションを得ることができる。ただし、上記の圧力・温度等の運転条件は装置の仕様により異なるものであって、特に限定されるものではない。また、通常の乳化方法で得た予備エマルションに同様の高剪断力処理を施すことにより、所望のマイクロエマルションを得ることもできる。また、必要に応じて、この高剪断力処理を繰り返し行なってもよい。更に、油性成分の濃度の高いマイクロエマルションを製造した上で、水又は水性媒体で希釈し、所望の濃度のマイクロエマルションを得ることもできる。
　【００２３】
　こうして得られたマイクロエマルションの粒径は０．０１〜０．２μｍであり、透明性に優れたものとなる。なお、ここで言う粒径は、レーザー回折／散乱式粒度分布測定機、例えばＨＯＲＩＢＡ　ＬＡ−９１０（堀場製作所社製）で測定したものである。
　【００２４】
　本発明のマイクロエマルションは、ヘアーリキッド、ヘアムース等の毛髪化粧料；アフターシェーブローション等のひげそり用化粧料；ボディローション、フェイスローション、化粧水、美容液、浴剤等の皮膚化粧料等の水系化粧料製品に使用することができる。更に、これらの化粧料としての効果を高め、使用感を向上させるために、本発明の効果を損なわない範囲で、保湿剤、粉体、香料、色素、紫外線吸収剤、キレート剤、防腐剤、増粘剤、植物エキス等を適宜配合することができる。これらの成分は、上記マイクロエマルションを得た後、配合してもよいし、高速剪断処理の前に予め配合しておくこともできる。
　【００２５】
　【発明の効果】
　本発明のマイクロエマルションは、シリコーン油配合系でも透明性が良好であり、その安定性も優れている。また、界面活性剤の低減により、安全性の向上にも寄与することができ、実用性の高いものである。
　【００２６】
　【実施例】
実施例１、比較例１〜２
　表１に示す配合成分のうち、界面活性剤、脂肪族アルコール及び油性物質等の水以外の成分を混合して８０℃に加熱溶解し、攪拌下で８０℃の水を添加混合して予備乳化を行なった。室温まで放冷したのち、ＤｅＢＥＥ２０００（ＢＥＥインターナショナル社製）を用いて運転圧力４００００ｐｓｉ（２７６０００ｋＰａ；剪断速度６．０×１０７ｓ−１）による処理を１０パス行なうことによってマイクロエマルションを調製した。
　【００２７】
　調製直後のマイクロエマルションの粒径と外観、更に２５℃で１ヶ月まで保存中の変化を観察した結果、実施例のものは透明性及び安定性に優れていた。ここで、透明性は、紫外可視吸光光度計（島津製作所製ＵＶ−１６０）にて１ｃｍセル中での波長５５０ｎｍの光透過率を測定することにより評価した。一方、脂肪族アルコールを用いなかった比較例１、活性剤として非イオン界面活性剤を用いた比較例２では、透明性及び安定性に問題があった。
　【００２８】
　【表１】
　【００２９】
実施例２、比較例３〜４
　表２に示す配合成分を用いて、実施例１と同様の操作でエマルションを調製した。調製直後のエマルションの粒径と外観、及び２５℃で１ヶ月保存後の変化を観察した結果、実施例のものは透明性及び安定性に優れていた。これに対し、２５℃で固体又はペースト状の脂肪族アルコールの代わりに低級アルコールを用いた比較例３、比較例４では、製造直後の透明性は良好であったが１ヶ月で相分離を起こした。
　【００３０】
　【表２】
　【００３１】
実施例３
、参考例１〜３
　以下に示す配合成分を用いて、実施例１と同様の操作でエマルションを調製した。製造直後の透明性を、実施例１、２と同様に光透過率を測定することにより評価した。いずれも透明性のよいエマルションが得られ、その安定性も良好であった。
　【００３２】
　【００３３】
実施例３（化粧水）
　　　　　　　　　　　　　　　　　　　　　　　　　　　　　　　（重量％）
Ｎ−ステアロイル−Ｌ−グルタミン酸Ｎａ　　　　　　　　　　　　　１．０
環状ジメチルシリコーン（重合度５）　　　　　　　　　　　　　　　２．３
セタノール　　　　　　　　　　　　　　　　　　　　　　　　　　　０．６
ステアリルアルコール　　　　　　　　　　　　　　　　　　　　　　０．４
ジプロピレングリコール　　　　　　　　　　　　　　　　　　　　　５．０
イオン交換水　　　　　　　　　　　　　　　　　　　　　　　　　９０．７
光透過率：８９．５％
　【００３４】
参考例１
　　　　　　　　　　　　　　　　　　　　　　　　　　　　　　　（重量％）
ヘキシルデシルリン酸アルギニン　　　　　　　　　　　　　　　　　０．３
ＰＯＥ（２０）硬化ヒマシ油　　　　　　　　　　　　　　　　　　　１．０
ベヘニルアルコール　　　　　　　　　　　　　　　　　　　　　　　０．３
ステアリン酸　　　　　　　　　　　　　　　　　　　　　　　　　　２．２
パルミチン酸　　　　　　　　　　　　　　　　　　　　　　　　　　１．８
スクワラン　　　　　　　　　　　　　　　　　　　　　　　　　　　２．０
イオン交換水　　　　　　　　　　　　　　　　　　　　　　　　　９２．４
光透過率：８３．０％
　【００３５】
参考例２
　　　　　　　　　　　　　　　　　　　　　　　　　　　　　　　（重量％）
ミリストイルサルコシンナトリウム　　　　　　　　　　　　　　　　１．０
セタノール　　　　　　　　　　　　　　　　　　　　　　　　　　　１．３
コレステロール　　　　　　　　　　　　　　　　　　　　　　　　　０．９
Ｎ−（２−ヒドロキシ−３−ヘキサデシロキシプロピル）−Ｎ−２−ヒドロキシエチルヘキサデカナミド
　　　　　　　　　　　　　　　　　　　　　　　　　　　　　　　　０．９
イソプロピルパルミテート　　　　　　　　　　　　　　　　　　　　２．１
イオン交換水　　　　　　　　　　　　　　　　　　　　　　　　　９３．８
光透過率：８０．９％
　【００３６】
参考例３
　　　　　　　　　　　　　　　　　　　　　　　　　　　　　　　（重量％）
スクワラン　　　　　　　　　　　　　　　　　　　　　　　　　　　７．０
ミリスチン酸　　　　　　　　　　　　　　　　　　　　　　　　　　０．８
ステアリン酸　　　　　　　　　　　　　　　　　　　　　　　　　　１．２
ステアロイルメチルタウリンＮａ　　　　　　　　　　　　　　　　　１．０
ジプロピレングリコール　　　　　　　　　　　　　　　　　　　　　８．６
イオン交換水　　　　　　　　　　　　　　　　　　　　　　　　　８１．４
光透過率：７６．４％
　【００３７】
　【００３８】
実施例
４
　下記に示す油性物質、脂肪族アルコール及び界面活性剤を混合して８０℃に加熱溶解し、実施例１と同様の操作でエマルションを調製した。これにカルボキシビニルポリマー及び苛性カリウムで調製した増粘ゲルを混合し、ジェル状半透明化粧料を得た。得られたジェル状半透明化粧料の安定性は良好であった。
　【００３９】
ジメチルシリコーン（２ｍｍ２／ｓ）　　　　　　　　　　　　　３．５重量％
ノニルフェニルエーテル硫酸ナトリウム　　　　　　　　　　　　　　０．６
セタノール　　　　　　　　　　　　　　　　　　　　　　　　　　　０．６
ステアリルアルコール　　　　　　　　　　　　　　　　　　　　　　０．４
カルボキシビニルポリマー　　　　　　　　　　　　　　　　　　　　０．８
苛性カリウム　　　　　　　　　　　　　　　　　　　　　　　　　　０．３
イオン交換水　　　　　　　　　　　　　　　　　　　　　　　　　９３．８
光透過率：８０．１％